(57)【要約】【課題】使い勝手も良く、且つ簡易に使用できながらも、本格的なパック効果を体感することのできるパックシートを提供すべく、新規な包装形態の開発を技術課題とした。【解決手段】保形性を有するカップ２内に、小片状のパックシート３と、パック液４とを収納し、カップ２の開口部をシールシート５を用いて密閉したことを特徴とし、パック液４によって湿潤状態とされたパックシート３がカップ２内に収納されているため、使用者はシールシート５を剥がすだけで即座にパックシート３を所望の箇所に貼付することができる。【選択図】図１
2019064734.tif 000002
【特許請求の範囲】
【請求項１】
保形性を有するカップ内に、小片状のパックシートと、パック液とを収納し、カップの開口部をシールシートを用いて密閉したことを特徴とする化粧用パックシートの包装体。
【請求項２】
前記パックシートは、複数枚が立ち整列状態で重ねられ、カップの内壁面に添った状態を維持して収納されていることを特徴とする請求項１記載の化粧用パックシートの包装体。
【請求項３】
前記カップの高さは、パックシートの立ち整列状態における見かけ高さ以上に設定されていることを特徴とする請求項１または２記載の化粧用パックシートの包装体。
【請求項４】
前記カップの平面視における底部の周長は、パックシートの立ち整列状態における見かけ周長以上に設定されていることを特徴とする請求項１、２または３記載の化粧用パックシートの包装体。
【請求項５】
前記パック液には、セルロースナノファイバー（ＣＮＦ）が添加されていることを特徴とする請求項１、２、３または４記載の化粧用パックシートの包装体。
【請求項６】
前記パック液の量は、パックシートの飽和湿潤量以上とされていることを特徴とする請求項１、２、３、４または５記載の化粧用パックシートの包装体。
【請求項７】
前記パック液には、バラエキスが添加されていることを特徴とする請求項１、２、３、４、５または６記載の化粧用パックシートの包装体。
【発明の詳細な説明】
【技術分野】
【０００１】
本発明は美顔等の目的で用いられる化粧用パックシートの包装体の構成に関するものである。
【背景技術】
【０００２】
化粧用のパックシートは、一般的にはフェイスマスク状の不織布シートに、パック液を湿潤状態に含浸させ、これを密閉袋等に収納した包装形態を採る（例えば特許文献１参照）。
一方、簡易な使い勝手を狙って、例えば目尻、ほうれい線等に局部的に用いる小片状のパックシートも市販されている（例えば特許文献２参照）。このものはシートが小片状であることに起因して、パック液の湿潤保存が充分ではなく、使用した際の満足感に欠けるという指摘もあった。
またゲルシート状のパックシートにおいて、皿状乃至はうす型カップ状の保形カップに入れたものもあるが（例えば特許文献２参照）、このような形態で小片状のパックシートが何枚か平重なり状態で収納される場合には、湿潤状態にあるから使用時に取り出しにくいという指摘もされていた。
【先行技術文献】
【特許文献】
【０００３】
【特許文献１】特開２０１７−５２５３２公報
【特許文献２】特開２００６−５６５４３公報
【発明の概要】
【発明が解決しようとする課題】
【０００４】
本発明はこのよう背景を考慮してなされたものであって、使い勝手も良く、且つ簡易に使用できながらも、本格的なパック効果を体感することのできるパックシートを提供すべく、新規な包装形態の開発を技術課題としたものである。
【課題を解決するための手段】
【０００５】
すなわち請求項１記載の化粧用パックシートの包装体は、保形性を有するカップ内に、小片状のパックシートと、パック液とを収納し、カップの開口部をシールシートを用いて密閉したことを特徴として成るものである。
【０００６】
また請求項２記載の化粧用パックシートの包装体は、前記要件に加え、前記パックシートは、複数枚が立ち整列状態で重ねられ、カップの内壁面に添った状態を維持して収納されていることを特徴として成るものである。
【０００７】
更にまた請求項３記載の化粧用パックシートの包装体は、前記要件に加え、前記カップの高さは、パックシートの立ち整列状態における見かけ高さ以上に設定されていることを特徴として成るものである。
【０００８】
更にまた請求項４記載の化粧用パックシートの包装体は、前要件に加え、前記カップの平面視における底部の周長は、パックシートの立ち整列状態における見かけ周長以上に設定されていることを特徴として成るものである。
【０００９】
更にまた請求項５記載の化粧用パックシートの包装体は、前記要件に加え、前記パック液には、セルロースナノファイバー（ＣＮＦ）が添加されていることを特徴として成るものである。
【００１０】
更にまた請求項６記載の化粧用パックシートの包装体は、前要件に加え、前記パック液の量は、パックシートの飽和湿潤量以上とされていることを特徴として成るものである。
【００１１】
更にまた請求項７記載の化粧用パックシートの包装体は、前要件に加え、前記パック液には、バラエキスが添加されていることを特徴として成るものである。
そしてこれら各請求項記載の発明の構成を手段として前記課題の解決が図られる。
【発明の効果】
【００１２】
まず請求項１記載の発明によれば、パック液によって湿潤状態とされたパックシートがカップ内に収納されているため、使用者はシールシートを剥がすだけで即座にパックシートを所望の箇所に貼付することができる。
【００１３】
また請求項２記載の発明によれば、カップ内においてパックシートが立ち整列状態で重ねられた状態が維持されるため、使用者は容易に且つ迅速にパックシートをつまみ出すとともに拡げることができる。
【００１４】
また請求項３記載の発明によれば、収納状態のパックシートが縦方向で不用意に折れ曲がってしまうのを回避することができる。
【００１５】
また請求項４記載の発明によれば、収納状態のパックシートの両端が重なってしまうのを回避することができる。
【００１６】
また請求項５記載の発明によれば、セルロースナノファイバー（ＣＮＦ）の添加によってパック液の粘性が増すため、パックシートがカップ内壁に添った状態をより確実に維持することができる。
【００１７】
また請求項６記載の発明によれば、パックシートの湿潤状態を充分に保つことができる。
【００１８】
また請求項７記載の発明によれば、使用者に対して、パック液自体が肌に与える美容効果の他に、バラエキスの芳香によるアロマ効果を供与することができる。
また特にパック液にセルロースナノファイバー（ＣＮＦ）が添加されている場合には、バラエキスの香気成分がセルロースナノファイバー（ＣＮＦ）に担持されるため、特に余ったパック液を使用者の身体に塗布することにより、バラエキスの芳香を長時間に渡って維持することができる。
【図面の簡単な説明】
【００１９】
【図１】化粧用パックシートの包装体を開封してパックシートを使用する様子を示す斜視図である。
【図２】カップを示す斜視図（ａ）、側面図（ｂ）、平面図（ｃ）である。
【図３】パックシートを示す平面図（ａ）、長軸部で二つ折り状態とされたパックシートを示す平面図（ｂ）である。
【図４】シールシートを示す平面図である。
【図５】ミセルが構成された基材における香気成分とセルロースナノファイバー（ＣＮＦ）との様子を示す概念図である。
【図６】パックシートをカップに収容する様子を段階的に示す斜視図である。
【図７】パックシートが収容されたカップを示す側面図（ａ）、平面図（ｂ）、正面図（ｃ）、背面図（ｄ）である。
【図８】パックシートが収容されたカップにパック液が収容された様子を示す斜視図（ａ）、平面図（ｂ）、背面図（ｃ）及びカップにシールシートを貼設する様子を示す斜視図（ｄ）、（ｅ）である。
【図９】化粧用パックシートの包装体を開封してパックシートを取り出す様子を段階的に示す斜視図である。
【発明を実施するための形態】
【００２０】
以下本発明を実施するための最良の形態について説明するが、この形態に対して、本発明の技術的思想の範囲内において適宜変更を加えることも可能である。
本発明の化粧用パックシートの包装体１は、保形性を有するカップ２内に、小片状のパックシート３と、パック液４とを収納し、カップ２の上面をシールシート５を用いて密閉して構成されるものである。
【００２１】
前記カップ２は、その上部に開口部２１が形成された容器であり、図２（ｂ）に示すように底部２２の外縁部から側壁２３が立ち上げられ、更にこの側壁２３の上端部に、図２（ｃ）の平面図に示すように外周部が円形となるフランジ２４が一定の幅で外側に張り出した状態で形成されて成るものである。
またこのフランジ２４の一部は、フランジ２４外周部に接する二本の接線が略９０°で交差するように、外側に突出した形状のつまみ部２５とされている。更にこのつまみ部２５の一部には、底部２２側に向かって凹んだ凹部２６が形成される。
【００２２】
また前記カップ２の形状は、底部２２から開口部２１に向かって上広がり状に形成されるものであり、この実施例では、底部２２の形状を平面視で正六角形とするものであり、フランジ２４の内側に形成される開口部２１の形状は、底部２２の平面形状である正六角形よりも大きな正六角形状となる。
なお底部２２の形状を上記正六角形以外の多角形状、円形状等とするようにしてもよい。
【００２３】
また前記カップ２の高さｈ２は、パックシート３の立ち整列状態における見かけ高さｈ３以上となるように設定されるものであり、これについては後ほど、化粧用パックシートの包装体１の具体的な構成の説明の際に詳しく説明する。
更に前記カップ２の平面視における底部２２の周長ｐ２は、パックシート３の立ち整列状態における見かけ周長ｐ３以上となるように設定されるものであり、これについても後ほど、化粧用パックシートの包装体１の具体的な構成の説明の際に詳しく説明する。
【００２４】
なお前記カップ２の素材としては、ポリエチレンテレフタレート、ポリスチレン、ポリプロピレン等の合成樹脂が採用される。
【００２５】
次に前記シールシート５について説明すると、このものは図４に示すように、カップ２のフランジ２４及びつまみ部２５の外縁内側形状と同形とされ、つまみ部２５に対応する個所が剥離部５５とされるものである。なおシールシート５は、一例としてポリエチレンテレフタレート、アルミニウム、ポリエチレンテレフタレート、ポリエチレン（最下層は溶着可能な材料）といった多層構造に形成される。
なおシールシート５によってカップ２の開口部２１を密閉するにあたっては、フランジ２４及びつまみ部２５上に設置されたシールシート５を加熱することにより、シールシート５の最下層のポリエチレンを溶融させて接着（ヒートシール）するものであるが、エチレンビニルアセテート（ＥＶＡ）接着剤等を用いて接着するようにしてもよい。
【００２６】
次いで前記パックシート３について説明すると、このものはパック液４によって湿潤状態とされ、使用者の顔の一部（この実施例ではほうれい線付近）に貼り付けられ、適宜の時間静置されることにより、皮膚へのパック液４の浸透を図るためのものである。
この実施例で示すパックシート３は図３（ａ）に示すように、長軸６５ｍｍ程度、短軸３５ｍｍ程度の楕円形の小片状とされ、更にその素材としては、一例として綿、ポリエステル、レーヨン、アクリル等を不織布としたものが採用される。
【００２７】
次いで前記パック液４について説明すると、このものは水、グリセリン、ＤＰＧ、ＰＥＧ−６０水添ヒマシ油等が含有された化粧水４１を主成分とするものである。また化粧水４１には更に美容効果が高いとされるレチノール、セラミド、プラセンタ等の美容成分を含有するようにしてもよい。
なお化粧水４１に前記グリセリンを添加することにより保湿性が向上し、また化粧水４１に前記ＰＥＧ−３０水添ヒマシ油を添加することにより界面活性性が向上する。
因みに化粧水４１に、グリセリン、ＰＥＧ−６０水添ヒマシ油を添加することにより、後述するバラエキス４３等の香料に含まれる香気成分４３ａを包含するミセル４４（分子間力による多数の分子の集合体）が構成される（図５（ａ）参照）。更にこのミセル４４が、後述するセルロースナノファイバー（ＣＮＦ）４２の形成する三次元ネットワークに包接された状態が得られる。なおミセル４４がセルロースナノファイバー（ＣＮＦ）４２に担持された状態となる場合もある（図５（ｂ）参照）。
【００２８】
また前記セルロースナノファイバー（ＣＮＦ）４２は、その製法に由来して、化学的解繊セルロースナノファイバー（ＣＮＦ）と機械的解繊セルロースナノファイバー（ＣＮＦ）とに分類されるが、本発明には双方ともに利用が可能である。
そして前記セルロースナノファイバー（ＣＮＦ）４２の性状は、幅３〜１００ｎｍ、好ましくは幅３〜８０ｎｍ、更に好ましくは幅３〜５０ｎｍとされる。
また前記化粧水４１に対するセルロースナノファイバー（ＣＮＦ）４２の添加量は、固形分量で０．０１〜１重量％、好ましくは０．０１〜０．５重量％、更に好ましくは０．０１〜０．２重量％の範囲とされる。
【００２９】
また化粧水４１にグリセリン、ＰＥＧ−６０水添ヒマシ油を添加しない場合であっても、前記セルロースナノファイバー（ＣＮＦ）４２により保湿性が発現されるものであり、セルロースナノファイバー（ＣＮＦ）４２による化粧水４１中の水分の囲い込みが図られているものと推定されている。
更にまたセルロースナノファイバー（ＣＮＦ）４２により、香気成分の緩放散性（徐放性）を発現させるものであり、その作用原理は必ずしも明確ではないものの、上述のように繊維状のセルロースナノファイバー（ＣＮＦ）４２が、香気成分を包接または担持していることによるものと推察される。
【００３０】
更に前記バラエキス４３は、１, ３−ジメトキシ−５−メチルベンゼンを含むバラ由来香気成分であって、例えばハイブリッド・ティー系のバラ花弁抽出由来すなわち自然由来のものである。因みにこのバラ由来の香料（以下、バラ香料と称する）は、鎮静作用等を発現させるものである。
なお前記バラエキス４３以外にも、香料として既に公知の種々の成分が利用できるものであって、目的に応じて鎮静作用を発現するもの（ローズ、カモミール等）、あるいは覚醒性を発現するもの（ミント、ジャスミン等）等、適宜のものが利用し得る。
【００３１】
本発明の化粧用パックシートの包装体１の構成要素は一例として以上述べたようなものであり、以下、包装体の具体的な構成について説明する。
【００３２】
（１）パックシートの折り畳み
はじめにパックシート３を折り畳むものであり、図６（ａ）〜（ｃ）に示すようにパックシート３を二枚重ねにしてから長軸部で二つ折りにし、更に図６（ｄ）に示すように短軸部で二つ折りにして四つ折り状態とする。
なおこのようなパックシート３の折り畳みは、折り紙のように完全に折り目を付けるものではなく、線対称部を重ね合わせる程度のものとする。
また二枚のパックシート３をそれぞれ長軸部で二つ折りにし、次いでこれら二つ折り状態のパックシート３二枚を重ね合わせ、この状態で短軸部で二つ折りにすることにより、四つ折り状態としてもよい。
【００３３】
（２）カップへのパックシートの収納
次に上述のように四つ折り状態とされた二枚のパックシート３を、カップ２に投入するものであり、この実施例では、図６（ｅ）に示すように長軸部が上部になるように投入する。このようにカップ２に投入されたパックシート３は、折り畳み状態の長軸部が直線状に戻ろうとするため、図７に示すように長軸部が側壁２３の内壁面に添うように展開して、二つ折り状態で湾曲した状態となる。この結果、図７に示すように複数枚（二枚）のパックシート３が立ち整列状態で重ねられた状態で、カップ２に収納されることとなる。
【００３４】
そして本発明では、前記カップ２の高さｈ２は、パックシート３の立ち整列状態における見かけ高さｈ３以上に設定されている。
ここでカップ２の高さｈ２とは、図２（ｂ）に示すように底部２２の上面から、フランジ２４の上面までの長さを意味するものである。またパックシート３の立ち整列状態における見かけ高さｈ３とは、カップ２に収納された状態のパックシート３の側面視における高さを意味するものであり、実質的に図３（ｂ）に示すような長軸部で二つ折り状態とされたパックシート３の高さ寸法となる。
なおこの時点では図７に示すように、パックシート３はカップ２における側壁２３の内壁面に添った状態となってはいるものの、全域に亘って密接した状態とはなっていない。
【００３５】
また本発明では、前記カップ２の平面視における底部２２の周長ｐ２は、パックシート３の立ち整列状態における見かけ周長ｐ３以上に設定される。
ここでパックシート３の立ち整列状態における見かけ周長ｐ３とは、図７（ｂ）に示すようにカップ２に収納された状態のパックシート３の平面視における周長を意味するものであり、実質的に図３（ｂ）に示すような長軸部で二つ折り状態とされたパックシート３の長さ寸法となる。
なお図７（ｂ）に示すように平面視において、パックシート３の長軸部の頂点がつまみ部２５の付近で対向するように、パックシート３をカップ２に収納することが好ましい。
【００３６】
（３）パック液の充填
次いで図８に示すようにカップ２内にパック液４を充填するものであり、本発明においてこのパック液４の量は、パックシート３の飽和湿潤量以上とされる。また静置時のパック液４の液高がカップ２高さの３／４以下、好ましくは１／２以下とすることが好ましい。
このためパックシート３はカップ２内においてパック液４を吸収して湿潤状態となるものであり、パックシート３が吸収しきれなかったパック液４は、カップ２内の下部に位置することとなり、パックシート３はパック液４中に浸漬された状態となる。
【００３７】
そしてパック液４を吸収して湿潤状態となったパックシート３は柔軟な状態となり、カップ２における側壁２３の内壁面に貼り付くものであり、図８（ａ）〜（ｃ）に示すように全域に亘って側壁２３の内壁面に密接した状態となる。
因みにカップ２内の上部にまでパック液４が充填された場合、パックシート３は側壁２３の内壁面に貼り付くことなく、パック液４中を浮遊してしまうこととなる。
更に前記パック液４には、セルロースナノファイバー（ＣＮＦ）４２が添加されているためパック液４の粘性が増すこととなり、パックシート３がカップ２の内壁面に添った状態がより確実に維持されることとなる。  
【００３８】
そして本発明では、前記カップ２の高さｈ２は、パックシート３の立ち整列状態における見かけ高さｈ３以上に設定されているため、収納状態のパックシート３が縦方向で不用意に折れ曲がってしまうのを回避することができる。
また本発明では、前記カップ２の平面視における底部２２の周長ｐ２は、パックシート３の立ち整列状態における見かけ周長ｐ３以上に設定されているため、収納状態のパックシート３の両端が重なってしまうのを回避することができる。
【００３９】
（４）シールシートによる密閉
次いでシールシート５により開口部２１を封鎖するものであり、図８（ｄ）（ｅ）に示すようにフランジ２４及びつまみ部２５にシールシート５を重ね合わせた後、適宜の加熱手段によってシールシート５を加熱し、最下層のポリエチレンを溶融させてシールシート５とフランジ２４及びつまみ部２５との接着が成される。これにより、内容物の流出防止、腐敗防止が図られる。
なおこのような接着の際、実際に溶着が行なわれる範囲は、図８（ｅ）中仮想線で示すフランジ２４の内周部の約５ｍｍ以下の範囲であり、凹部２６を含むつまみ部２５の大部分の範囲は、シールシート５の剥離部５５と接着されないようにしておく。
また静置時のパック液４の液高がカップ２高さの１／２以下とされる場合には、パックシート３の湿潤状態を充分に保ちながらも、パック液４に浸漬されていない部位が形成されるため、パックシート３が遊離してしまうのを防ぎ、パックシート３がカップ２内壁に添った状態を確実に維持することができる。
【００４０】
（５）使用形態
そして上述のようにして構成された化粧用パックシートの包装体１の使用時には、図９（ａ）に示すように凹部２６を手掛かりとして未接着状態となっている剥離部５５を摘み、シールシート５を引き剥がすことにより、カップ２の開口部２１を開放状態とする。
次いで使用者は図９（ｂ）に示すように、パックシート３の一方の端部を指つまんでこれをカップ２から取り出すものであり、この際、収納状態のパックシート３の両端は重なっていないため、その端部を的確につまむことができる。
次いで使用者は図９（ｃ）に示すように、二つ折り状態のまま、あるいは二つつ折り状態となっているパックシート３を展開した後、カップ２上でパックシート３を吊り下げ状態とし、パックシート３から滴るパック液４をカップ２で受けるようにする。その後、パック液４の滴りがなくなった時点で図９（ｃ）に示すように、二枚重ね状態をなっているパックシート３を分離して、それぞれのパックシート３を使用者の顔の一部（左右のほうれい線部分、涙袋部分）に貼付する（図１参照）。
【００４１】
その後、１０〜２０分程度放置すると、パック液４の化粧水４１の美容成分が肌に浸透し、化粧水４１による美容効果が得られることとなる。
この際、パック液４にはグリセリン、ＰＥＧ−３０水添ヒマシ油及びセルロースナノファイバー（ＣＮＦ）４２が添加されているため、バラエキス４３の香気成分がセルロースナノファイバー（ＣＮＦ）４２に担持され、香気成分の緩放散性（徐放性）を発現させるものであり、終止アロマ効果を持続させることができる。
なおカップ２内には、残余のパック液４が残ることとなるが、このパック液４は顔に用いることを前提として調合されたものであるため、いわば高級な成分を含むパック液４を、顔以外の手、腕、胸、背中、足等の部位に供することもできる。
【符号の説明】
【００４２】
１    化粧用パックシートの包装体
２    カップ
２１  開口部
２２  底部
２３  側壁
２４  フランジ
２５  つまみ部
２６  凹部
３    パックシート
４    パック液
４１  化粧水
４２  セルロースナノファイバー（ＣＮＦ）
４３  バラエキス
４３ａ香気成分
４４  ミセル
５    シールシート
５５  剥離部
ｈ２  高さ
ｈ３  見かけ高さ
ｐ２  周長
ｐ３  見かけ周長
【図１】
2019064734.tif 000003
【図２】
2019064734.tif 000004
【図３】
2019064734.tif 000005
【図４】
2019064734.tif 000006
【図５】
2019064734.tif 000007
【図６】
2019064734.tif 000008
【図７】
2019064734.tif 000009
【図８】
2019064734.tif 000010
【図９】
2019064734.tif 000011